(57)【要約】【課題】光学式ピックアップによってディスクに信号を記録することが出来る光ディスク記録再生装置の記録制御方法を提供する。【解決手段】ディスクより得られる同期信号と記録用同期信号とを同期させることによってディスクに信号を記録するように構成された光ディスク記録再生装置において、同期信号と記録用同期信号との同期制御動作を所定周期毎に行うことによってディスクに記録する信号の容量を増大させる場合の記録特性を向上させる。【選択図】    図１
2004206834.tif 000002
【特許請求の範囲】
【請求項１】
ディスクより得られる同期信号と記録用同期信号とを同期させることによってディスクに信号を記録するように構成された光ディスク記録再生装置において、同期信号と記録用同期信号との同期制御動作を所定周期毎に行うようにしたことを特徴とする光ディスク記録再生装置の記録制御方法。
【請求項２】
同期制御動作を行う同期信号の間隔と記録用同期信号との間隔を相違させたことを特徴とする請求項１に記載の記録制御方法。
【請求項３】
記録用同期信号の同期制御動作を行う間隔をディスクに信号を記録する規格に合わせて設定するようにしたことを特徴とする請求項２に記載の記録制御方法。
【発明の詳細な説明】
【０００１】
【発明の属する技術分野】
本発明は、光学式ピックアップに組み込まれているレーザー素子より照射される光ビームによってディスクに信号を記録するように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
記録用ディスクには、プリグルーブと呼ばれる溝が設けられており、このプリグルーブより得られるウォブル信号を復調することによって時間情報、即ちディスクアドレスが得られる。このプリグルーブより得られるウォブル信号によって記録されている時間情報は、ＡＴＩＰ(Ａｂｓｏｌｕｔｅ  Ｔｉｍｅ  Ｉｎ  Ｐｒｅｇｒｏｏｖｅ)と呼ばれている。そして、ＣＤと呼ばれるディスクにおける時間情報は、分、秒及びフレームにて構成されており、フレーム数は７５に設定されている。
【０００４】
光ディスク記録再生装置における記録動作は、ディスクより得られるＡＴＩＰであるディスクアドレスと記録信号であるデータに付加されるデータアドレスとが一致するように行われる(例えば、特許文献１参照。)。
【０００５】
【特許文献１】
特開平１０−２８９５２７号公報
【０００６】
【発明が解決しようとする課題】
光ディスク記録再生装置における記録動作は、スピンドルモーターによって線速度が一定になるように回転制御されているディスクに対して周知のように行われるが、ディスクより得られるＡＴＩＰであるディスクアドレスと記録信号であるデータに付加されるデータアドレスとが合致するように記録すると、該ディスクに記録することが出来る記録信号の容量は、ディスクに設定されている容量に規定されることになる。それ故、ディスクに対して記録する容量を増やすことが出来ないという問題がある。
【０００７】
本発明は、斯かる問題を解決することが出来る記録制御方法を提供しようとするものである。
【０００８】
【作用】
本発明は、ディスクより得られる同期信号と記録用同期信号とを同期させることによってディスクに信号を記録するように構成された光ディスク記録再生装置において、同期信号と記録用同期信号との同期制御動作を所定周期毎に行うように構成されている。
【０００９】
【実施例】
図１は本発明に係る光ディスク記録再生装置の一実施例を示すブロック回路図、図２及び図３は本発明の動作を説明するための説明図である。
【００１０】
図１において、１はスピンドルモーター２によって回転駆動されるターンテーブル３に載置されるディスクであり、該ターンテーブル３の回転により回転駆動されるように構成されている。また、前記ディスク１には、位置情報データがプリグルーブと呼ばれる溝によって記録されており、この溝より得られるウォブル信号に基づいて信号の記録再生動作が行われるように構成されている。
【００１１】
４はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ディスク１への信号記録動作及び該ディスク１に記録されている信号の読み出し動作を行うとともにピックアップ送り用モーター（図示せず）によってディスク１の径方向に移動せしめられるように構成されている。
【００１２】
５は前記光学式ピックアップ４に組み込まれている光検出器から得られるＲＦ信号を増幅するとともに波形整形する信号増幅回路、６は前記信号増幅回路５より出力される信号が入力されるＡＴＩＰデコーダ、７は前記ＡＴＩＰデコーダ６にて復調された信号から同期信号を検出する同期信号検出回路である。８は前記同期信号検出回路７によって検出された同期信号が入力される第１分周回路であり、設定された数の同期信号が入力される毎に同期信号を出力するように構成されている。
【００１３】
９は光ディスク記録再生装置の各種の動作を制御するシステム制御回路、１０は前記システム制御回路９の制御動作によって記録信号入力端子１１より入力されるデータ信号に付加するデータアドレス信号、即ち分、秒及びフレーム番号を生成するディスクアドレス生成回路である。１２はディスク１に信号を記録するとき前記ディスクアドレス生成回路１０より出力されるデータアドレス信号とともにデータ信号に付加する同期信号を生成する記録用同期信号生成回路である。
【００１４】
１３は前記記録信号入力端子１１より入力されるデータ信号に前記システム制御回路１１の制御動作によって各種のデジタル信号処理を行うエンコーダであり、該データ信号に前述したディスクアドレス生成回路１０にて生成されるデータアドレスや前記記録用同期信号生成回路より生成される同期信号を付加して記録信号として出力するように構成されている。１４は前記エンコーダ１３より出力される記録信号、即ちデータアドレス信号及び同期信号が付加されているデータ信号が入力されるレーザー駆動回路であり、前記光学式ピックアップ４に組み込まれているレーザー素子に駆動電流を供給する作用を有している。
【００１５】
１５は前記記録用同期信号生成回路１２より生成された同期信号が入力される第２分周回路であり、設定された数の同期信号が入力される毎に同期信号を出力するように構成されている。１６は前記第１分周回路８より出力される同期信号と前記第２分周回路１５より出力される同期信号とが入力される同期制御回路であり、入力される同期信号が互いに同期するようにシステム制御回路９が制御動作を行うように構成されている。
【００１６】
１７は前記システム制御回路９によって動作が制御されるスピンドルモーター速度制御回路であり、前記スピンドルモーター２を所望の速度にて回転駆動する作用を有する。
【００１７】
以上に説明したように本発明に係る光ディスク記録再生装置は構成されているが、本発明の記録制御動作について、図２及び図３を参照して説明する。
【００１８】
前記信号増幅回路５によって増幅される信号の中には、ディスク１に記録されたデータアドレス信号だけでなく、プリグルーブより得られるディスクアドレス信号が含まれている。前記ディスクアドレスは、ＡＴＩＰデコーダ６にてデコードされた後信号に含まれている同期信号が同期信号検出回路７によって検出された後第１分周回路８に入力される。図２に示した例は、該第１分周回路８の分周比が１の場合であり、同期信号検出回路７より出力される同期信号が入力される毎に同期信号を出力するように動作する。
【００１９】
図２の(Ａ)は、同期信号検出回路７より出力される同期信号を示すものであり、Ａ１、Ａ２、Ａ３、Ａ４…のようにディスク１から得られる同期信号の出力タイミングを示すものである。そして、この場合には、第１分周回路８からは、Ａ１、Ａ２、Ａ３、Ａ４…の同期信号が出力されて同期制御回路１６に入力されることになる。
【００２０】
記録動作を行う場合には、システム制御回路９の制御動作によって各回路が記録信号入力端子１１より入力されるデータ信号をディスク１に記録するための動作状態になるが、記録用同期信号生成回路１２からは、図２の(Ｂ)に示すタイミングの記録用同期信号Ｂ１、Ｂ２、Ｂ３、Ｂ４、Ｂ５、Ｂ６、Ｂ７、Ｂ８…が出力される。前記記録用同期信号生成回路１２から出力される同期信号は、エンコーダ１３により信号処理によってディスクアドレス生成回路１０からのディスクアドレス信号とともにデータ信号に付加されてレーザー駆動回路１４に供給されてディスク１に記録されることになる。
【００２１】
また、前記記録用同期信号生成回路１２から出力される同期信号は、第２分周回路１５に入力されるが、図２に示した例は、第２分周回路１５の分周比が１／２の場合であり、記録用同期信号生成回路１２より出力される同期信号が２つ入力される毎に同期信号を出力するように動作する。即ち、第２分周回路１５からは、Ｂ１、Ｂ３、Ｂ５、Ｂ７…の同期信号が出力されて同期制御回路１６に入力されることになる。
【００２２】
前述した条件で第１分周回路８及び第２分周回路１５より出力される同期信号が同期制御回路１６に入力されると、該同期制御回路１６に入力される同期信号を同期させるべく記録用同期信号生成回路１２より出力される同期信号の出力タイミングを変更する制御動作がシステム制御回路９によって行われる。そして、この場合の同期合わせを行うための制御動作は、Ａ１とＢ１間、Ａ２とＢ３間、Ａ３とＢ５間、Ａ４とＢ７間にて行われることになる。即ち、各同期信号が同期制御回路１６による制御動作にてずれていると判断された場合には、そのずれを補正するべく記録用同期信号生成回路１２より生成される同期信号の出力動作を早めたり、遅くする制御動作がシステム制御回路９によって行われることになる。また、システム制御回路９による制御動作によってディスクアドレス生成回路１０によるアドレス生成動作及びエンコーダ１３によるエンコード処理動作も同期信号の出力動作に応じて行われることになる。
【００２３】
斯かる制御動作が行われる結果、ディスク１に記録されている同期信号に対応させて記録用同期信号を生成することが出来るので、ディスク１に対する記録動作を正確に行うことが出来る。そして、図２に示した例では、ディスク１に規定されている記録容量に対して、２倍の容量の信号を記録することが出来る。
【００２４】
図２に示した例は、第１分周回路８の分周比が１、第２分周回路１５の分周比が１／２であったが、次に図３に示す例について説明する。この実施例では、第１分周回路８の分周比が１／３、第２分周回路１５の分周比が１／８である。
【００２５】
この場合は、第１分周回路８にＡ１、Ａ２、Ａ３、Ａ４…の同期信号が入力されると、該第１分周回路８からは、Ａ１及びＡ４に対応した同期信号が出力されて同期制御回路１６に入力される。一方、記録用同期信号生成回路１２より出力される記録用同期信号Ｂ１、Ｂ２、Ｂ３、Ｂ４、Ｂ５、Ｂ６、Ｂ７、Ｂ８、Ｂ９、Ｂ１０…が第２分周回路１５に入力されると、該第２分周回路１５からは、Ｂ１及びＢ９に対応した同期信号が出力されて同期制御回路１６に入力される。
【００２６】
前述した条件で第１分周回路８及び第２分周回路１５より出力される同期信号が同期制御回路１６に入力されると、該同期制御回路１６に入力される同期信号を同期させるべく記録用同期信号生成回路１２より出力される同期信号の出力タイミングを変更する制御動作等がシステム制御回路９によって行われる。そして、この場合の同期合わせを行うための制御動作は、Ａ１とＢ１間及びＡ４とＢ９間にて行われることになる。即ち、各同期信号が同期制御回路１６による制御動作にてずれていると判断された場合には、そのずれを補正するべく記録用同期信号生成回路１２より生成される同期信号の出力動作を早めたり、遅くする制御動作が図２に示した例と同様に行われることになる。
【００２７】
斯かる制御動作が行われる結果、ディスク１に記録されている同期信号に対応させて記録用同期信号を生成することが出来るので、ディスク１に対する記録動作を正確に行うことが出来る。そして、図３に示した例では、ディスク１に規定されている記録容量に対して、８／３倍の容量の信号を記録することが出来る。
【００２８】
以上に説明したように第１分周回路８及び第２分周回路１５の分周比を変更設定することによってディスク１に記録されているプリグルーブによって規定されている記録容量より多い容量にて信号の記録動作を行うことが出来る。
【００２９】
そして、ディスク１より得られる同期信号と同期合わせ処理を行う記録用同期信号の間隔をディスク１に記録する規格に合わせて設定すれば、記録動作を支障なく行うことが出来る。即ちディスクへの記録方式は、エラー訂正を行うために必要なセクター数毎に行うように規定されているため、このセクター数に合わせて記録用同期信号の間隔を合わせて設定すると、同期処理が行われる記録用同期信号と記録用同期信号との間に記録される信号の記録品位をエラー訂正可能な品位にすることが出来る。
【００３０】
以上に説明したように本発明に係る記録制御動作は行われるが、各記録動作を行うために必要な回転速度にてディスク１を回転させるべくスピンドルモーター速度制御回路１７によるスピンドルモーター２の回転駆動動作が行われる。また、各回路の制御動作も各記録密度に対応した記録動作を行うようにされている。
【００３１】
また、本実施例では、同期信号と記録用同期信号との同期合わせ制御動作を記録用同期信号の出力タイミングを変更することによって行うようにしたが、スピンドルモーター２の回転速度を制御することによっても行うことが出来る。即ち、スピンドルモーターの回転速度を可変制御すればディスク１より得られる同期信号の間隔を変更させることが出来るからである。
【００３２】
【発明の効果】
本発明は、ディスクより得られる同期信号と記録用同期信号とを同期させることによってディスクに信号を記録するように構成された光ディスク記録再生装置において、同期信号と記録用同期信号との同期制御動作を所定周期毎に行うようにしたので、ディスクに記録されている信号より得られる同期信号にて規定されている記録容量と異なる容量の信号を記録する場合に記録動作を正確に行うことが出来る。
【００３３】
また、本発明は、同期制御動作を行う同期信号の間隔と記録用同期信号との間隔を相違させるようにしたので、種々な記録容量にて信号をディスクに記録することが出来る。
【００３４】
そして、本発明は、記録用同期信号の同期制御動作を行う間隔をディスクに信号を記録する規格に合わせて設定するようにしたので、各記録規格に適した記録動作を正確に行うことが出来る。
【図面の簡単な説明】
【図１】本発明に係る光ディスク記録再生装置の一実施例を示すブロック回路図である。
【図２】本発明の動作を説明するための説明図である。
【図３】本発明の動作を説明するための説明図である。
【符号の説明】
１        ディスク
４        光学式ピックアップ
５        信号増幅回路
６        ＡＴＩＰデコーダ
７        同期信号検出回路
８        第１分周回路
９        システム制御回路
１０        ディスクアドレス生成回路
１２        記録用同期信号生成回路
１３        エンコーダ
１５        第２分周回路
１６        同期制御回路
【図１】
2004206834.tif 000003
【図２】
2004206834.tif 000004
【図３】
2004206834.tif 000005